(57)【要約】【課題】ブルドーザ等の建設機械に搭載された場合でも、回転部と固定部との間の隙間への土砂埃の浸入による不具合の発生を防止することが可能な建設機械の圧縮機を提供する。【解決手段】ブルドーザ１のコンプレッサ３５は、エンジン３５から回転駆動力が伝達されたプーリ５２とシャフト５０とを電磁クラッチ５３を介して接続して、エアコンユニット３４に流れる冷媒の圧力を変化させる圧縮機であって、プーリ５２の回転に伴って回転するロータ５６と、この内周側に対向配置されたステータ５５との間に形成される隙間Ｘの開口端側を覆うように、カバー５５ａを配置している。【選択図】図４
2008014282.tif 000002
【特許請求の範囲】
【請求項１】
本体部とプーリ部とを備えた建設機械の圧縮機であって、
前記プーリ部は、固定部と、
前記固定部の内周側または外周側を覆うように配置されており、回転駆動力を受けて回転する回転部と、
前記回転部の回転駆動力が伝達されて回転するシャフトと、
所定の電気信号を受信して、前記シャフトを回転させるために前記回転部と前記シャフトとを接続する電磁クラッチと、
前記固定部の外周面と前記回転部の内周面との間に形成され、前記本体部側に向かって開口する略円環状の隙間を覆うカバー部材と、
を有している建設機械の圧縮機。
【請求項２】
前記回転部と前記固定部との間に形成される前記隙間が、建設機械の後進方向に向かって開口するように配置されている、
請求項１に記載の建設機械の圧縮機。
【請求項３】
前記カバー部材は、略円形であって、
前記カバー部材の外径は、前記回転部の外径とほぼ同じになるように形成されている、
請求項１または２に記載の建設機械の圧縮機。
【請求項４】
前記カバー部材は、前記回転部との間に隙間が形成されるように配置されている、
請求項１から３のいずれか１項に記載の建設機械の圧縮機。
【発明の詳細な説明】
【技術分野】
【０００１】
本発明は、例えば、ブルドーザやホイルローダ等の建設機械に搭載された圧縮機に関する。
【背景技術】
【０００２】
従来より、自動車や建設機械等の車両には、空気調和装置が搭載されており、運転者を含む搭乗者の快適性を向上させている。
このような空気調和機は、一般的に、空気調和機を流れる冷媒の圧力を、圧縮機によって切り換えることで、車両キャブの室内空間の冷暖房を行う。
例えば、特許文献１には、上述した車両に搭載される空気調和装置の電磁クラッチおよび圧縮機に関して、クラッチ連結時における騒音やエンジン等にかかる負荷の急激な変化を抑制することが可能な構成が開示されている。
【特許文献１】特開平１１−２０１１９６号公報（平成１１年７月２７日公開）
【発明の開示】
【発明が解決しようとする課題】
【０００３】
しかしながら、上記従来の建設機械の圧縮機では、以下に示すような問題点を有している。
すなわち、上記公報に開示された圧縮機は、クラッチ連結時における騒音や衝撃を低減することを目的とするものであり、回転部と固定部との間に形成される隙間への土砂埃の浸入を抑制するための措置としては、隙間の開口部分が後進方向に向くように圧縮機を配置した以外には特に考慮されていない。
【０００４】
このため、例えば、ブルドーザ等の建設機械に搭載した場合には、採掘現場等のような土砂埃が大量に発生する環境下での作業になるため、自動車等と同じように圧縮機を配置しただけでは、上記隙間への土砂埃の浸入によってクラッチの接続面の摩耗が進行して、電磁クラッチによるクラッチ板の接続が不可能となって空気調和装置において適正な温度制御ができなくなるおそれがある。
【０００５】
本発明の課題は、ブルドーザ等の建設機械に搭載された場合でも、回転部と固定部との間の隙間への土砂埃の浸入による不具合の発生を抑制することが可能な建設機械の圧縮機を提供することにある。
【課題を解決するための手段】
【０００６】
第１の発明に係る建設機械の圧縮機は、本体部とプーリ部とを備えている。そして、プーリ部は、固定部と、回転部と、シャフトと、電磁クラッチと、カバー部材と、を有している。回転部は、固定部の内周側または外周側を覆うように配置されており、回転駆動力を受けて回転する。シャフトは、回転部の回転駆動力が伝達されて回転する。電磁クラッチは、所定の電気信号を受信して、シャフトを回転させるために回転部とシャフトとを接続する。カバー部材は、固定部の外周面と回転部の内周面との間に形成され、本体部側に向かって開口する略円環状の隙間を覆う。
【０００７】
ここでは、例えば、ブルドーザ等の建設機械にエアコンの冷媒圧縮用に搭載されており、電磁クラッチを介して固定部と回転部とを接続して、スクロール等の圧縮機構と連結されたシャフトを回転させる圧縮機において、回転部と固定部との間に形成され、本体部側に向かって開口する略円環状の隙間を塞ぐカバー部材を設けている。
ここで、上記回転部とは、建設機械に搭載されたエンジン等の回転駆動源からの回転駆動力が伝達されて回転するプーリやプーリとともに回転するクラッチ板等が含まれる。また、上記固定部としては、電磁クラッチを構成するステータや上記クラッチ板を収納するケース等が含まれる。さらに、電磁クラッチは、回転部に含まれるクラッチ板とシャフトに一体化された被動作板とを連結することで、回転部の回転駆動力を間接的にシャフトへと伝達する。
【０００８】
通常、自動車等に搭載された圧縮機では、このような回転部と固定部との間に形成され、本体部側に向かって開口する隙間が後進方向を向くように配置される。これにより、自動車の前方から後方に向かって形成される空気の流れに沿って埃等が移動することになり、上記隙間への異物の侵入を防いでいる。
一方、建設機械に搭載された圧縮機の場合には、一般的に、自動車よりも車速が遅く、作業時における平均車速は前進よりも後進の方が大きい。しかも、基本的に建設機械が作業を行う場所としては、採掘現場や工事現場等のような土砂埃が大量に発生し易い環境であるため、自動車と同じように圧縮機を配置にしただけでは、回転部と固定部との間に形成される隙間への土砂埃の侵入を防ぐことはできないおそれがある。
【０００９】
本発明の建設機械の圧縮機では、建設機械に搭載した場合には土砂埃等の侵入が予測される回転部と固定部との間に形成される隙間の前面を覆うカバー部材を設けている。
これにより、土砂埃が上記隙間へ入り込むためには、例えば、カバー部材の背面側と回転部および固定部等との間に形成された隙間を通過する必要があるため、上記隙間への土砂埃等の侵入量を従来よりも大幅に低減することができる。この結果、自動車よりも過酷な環境で使用される建設機械に搭載された圧縮機であっても、回転部と固定部との間に形成され、本体部側に向かって開口する隙間への土砂埃等の侵入によって圧縮機において動作不良が発生し、例えば、エアコンの温度制御が適正に行われなくなる等の不具合の発生を回避することができる。
【００１０】
第２の発明に係る建設機械の圧縮機は、第１の発明に係る建設機械の圧縮機であって、回転部と固定部との間に形成される隙間が、建設機械の後進方向に向かって開口するように配置されている。
ここでは、回転部と固定部との間に形成される隙間がブルドーザ等の建設機械の前進方向とは反対の方向に向かって開口するように、圧縮機が配置されている。
【００１１】
通常、自動車に搭載された圧縮機では、前進方向とは反対方向に向かって上記隙間が開口するように圧縮機が配置されているため、車体の前方から後方に向かう空気の流れによって、後進方向に向かって開口した隙間に土砂埃等が侵入することはほとんどないと考えられる。一方、建設機械に搭載される圧縮機が自動車と同様の向きで配置された場合には、ブルドーザ等の建設機械は自動車と比較して前進する速度が小さく、また、一般的に作業時には前進よりも後進の方が速度が大きいため、後進方向からの空気の流れが形成されるケースが多い。このため、単に自動車と同様の向きに圧縮機を配置したのでは、回転部と固定部との間の隙間への土砂埃が侵入し易くなってしまう。
【００１２】
本発明の建設機械の圧縮機では、回転部と固定部との間に形成される隙間への土砂埃の侵入を抑制するために、上述のように、上記隙間部分を覆うためのカバー部材を設けている。
これにより、建設機械に搭載されており、後進方向からも空気の流れが生じ得る圧縮機であっても、回転部と固定部との間に形成された隙間への土砂埃の侵入を効果的に抑制して、圧縮機における動作不良の発生を防止することができる。
【００１３】
第３の発明に係る建設機械の圧縮機は、第１または第２の発明に係る建設機械の圧縮機であって、カバー部材は、略円形であって、カバー部材の外径は、回転部の外径とほぼ同じになるように形成されている。
ここでは、回転部と固定部との間に形成される略円環状の隙間を覆うカバー部材が、固定部の外径とほぼ同じ大きさの略円形になるように形成されている。
【００１４】
ここで、本発明のように建設機械に搭載される圧縮機では、外郭部に凹凸部分が形成されていると、その凹凸部分によって空気の流れが遮断されて土砂埃が蓄積されやすくなるという問題がある。このため、圧縮機の外郭部分には、できる限り凹凸の無い構造とすることが望ましい。
本発明の建設機械の圧縮機では、土砂埃の侵入を抑制するために設けられたカバー部材が、圧縮機の本体部側から突出することがないように取り付けられている。
これにより、圧縮機に対してカバー部材を取り付けた場合でも、カバー部材によって凹凸が形成されることで土砂埃が溜まり易くなることを防止して、回転部と固定部との間の隙間への土砂埃の侵入をさらに効果的に抑制することができる
【００１５】
第４の発明に係る建設機械の圧縮機は、第１から第３の発明のいずれか１つに係る建設機械の圧縮機であって、カバー部材は、回転部との間に隙間が形成されるように配置されている。
【００１６】
ここでは、回転部と固定部との間に形成される隙間を覆うカバー部材を、回転部と接触しないように隙間を開けて取り付けられている。
ここで、回転部と固定部との間の隙間への土砂埃の侵入をより効果的に抑制するためには、この隙間を覆うカバー部材をできる限り近接配置することが好ましい。しかし、カバー部材を回転部と接触するまで近接配置してしまうと、カバー部材との接触が回転部の回転の抵抗となり、接触による騒音も発生するおそれがある。
【００１７】
本発明の建設機械の圧縮機では、回転部と接触することを防止しつつ、回転部と固定部との隙間への土砂埃の侵入を効果的に抑制するために、カバー部材と回転部との間に所定の隙間を設けている。
これにより、回転部と固定部との間の隙間への土砂埃の侵入を効果的に抑制しつつ、回転部の回転を妨げることなく運転時における騒音の発生を防止することが可能な圧縮機を提供することができる。
【発明の効果】
【００１８】
本発明に係る建設機械の圧縮機によれば、建設機械に搭載されており後進方向からも空気の流れが生じ得る圧縮機であっても、回転部と固定部との間に形成された隙間への土砂埃の侵入を効果的に抑制して、圧縮機における動作不良の発生を防止することができる。
【発明を実施するための最良の形態】
【００１９】
本発明の一実施形態に係る建設機械の圧縮機について、図１〜図７を用いて説明すれば以下の通りである。
［ブルドーザ１の構成］
本実施形態に係るコンプレッサ（建設機械の圧縮機）３５は、図１に示すように、不整地において作業を行うブルドーザ（建設機械）１の車体フレーム３内に搭載されている。そして、ブルドーザ１は、主として、キャブ２、車体フレーム（エンジンルーム）３、作業機構６、走行装置７を備えている。
【００２０】
キャブ２には、運転者が座るためのシートや各種操作のためのレバー、ペダルおよび計器類が内装されている。キャブ２は、底部が図示しないフロアフレームによって構成されており、フロアフレーム上にピラーや側板が載置されている。
車体フレーム３は、作業機構６および走行装置７が取り付けられており、その上部にはキャブ２が載置されている。また、車体フレーム３は、内部にエンジン３１等が設けられており、エンジン３１において発生した回転駆動力が、後述する走行装置７のスプロケット７３に伝達される。なお、この車体フレーム３の内部構成については、後段にて詳述する。
【００２１】
作業機構６は、図１に示すように、地面を削り取って土砂を押し運ぶための機構であり、ブレード６０と、支持フレーム６１と、油圧ブレードチルトシリンダ６２と、油圧ブレードリフトシリンダ６３と、を有している。ブレード６０は、車体フレーム３の前方に設けられており、前面が湾曲した板状の形状を有している。支持フレーム６１は、一端がブレード６０に固定され、他端が走行装置７に固定されており、ブレード６０を支持している。油圧ブレードチルトシリンダ６２と油圧ブレードリフトシリンダ６３とは、整地作業時において必要に応じて伸縮してブレード６０の位置や角度等を調整する。
【００２２】
走行装置７は、車体フレーム３の左右下部にそれぞれ設けられており、無端状の履帯７０によって不整地における走行を可能としている。そして、走行装置７は、履帯７０、車両前後方向に沿って配設されたトラックフレーム７１、走行輪であるアイドラ７２およびスプロケット７３等を有している。
［車体フレーム３内部の構成］
車体フレーム３は、図２に示すように、内部に、エンジン３１、トルクコンバータ３２、トランスミッション３３、エアコンユニット３４、コンプレッサ３５およびコンデンサ３６等を格納している。
【００２３】
エンジン３１は、ブルドーザ１に搭載された作業機構６や走行装置７を駆動するための動力源であって、車体フレーム３内における中央部付近に配置されている。また、エンジン３１は、図示しないベルトを介して、コンプレッサ３５（プーリ５２ａ）に対して回転駆動力を伝達する。
トルクコンバータ３２は、オイルを介してエンジン３１の動力をトランスミッション３３の入力軸に対して伝達するものであって、車体フレーム３内における後ろ寄りに配置されている。
【００２４】
トランスミッション３３は、トルクコンバータ３２を介して伝達されるエンジン３１の回転駆動力を、作業状態に応じた適切な大きさに変化させてスプロケット７３に対して伝達するための変速機であって、トルクコンバータ３２の後進側に近接配置されている。
エアコンユニット３４は、キャブ２内においてブルドーザ１の操作を行うオペレータの快適性を向上させるための冷暖房装置であって、キャブ２と車体フレーム３との境界部分付近に配置されている。
【００２５】
コンプレッサ３５は、エアコンユニット３４内を流れる冷媒の圧力を切り換えて空気との間で熱交換を行ってキャブ２内の冷暖房を行うための装置であって、冷媒配管３４ａを介してエアコンユニット３４と接続されている。また、コンプレッサ３５は、車体フレーム３内におけるエンジン３１の側方に配置されており、上述したように、図示しないベルトを介してエンジン３１から回転駆動力がプーリ５２ａの部分に伝達される。なお、このコンプレッサ３５の具体的な構成については、後段にて詳述する。
【００２６】
コンデンサ３６は、冷媒配管３４ａを介して接続されたエアコンユニット３４およびコンプレッサ３５を流れる冷媒と空気との間で熱交換を行わせるための装置であって、車体フレーム３の前進方向における先端部分に配置されている。
［コンプレッサ３５の構成］
コンプレッサ３５は、図３、図４および図５に示すように、主として、本体（本体部）５１とプーリ部５２とによって構成されており、より詳細には、シャフト５０と、本体５１と、プーリ５２ａと、電磁クラッチ５３と、ベアリング５４と、ステータ（固定部）５５と、ロータ（回転部）５６と、を備えている。
【００２７】
シャフト５０は、本体５１内に格納された図示しないスクロールと連結されており、後述する電磁クラッチ５３を介してエンジン３１からの回転駆動力を受けて回転する。
本体５１は、上述したように、図示しないスクロールを格納しており、これを回転させることによってスクロール内に流入した冷媒を高温高圧の気体へと変換する。
プーリ５２ａは、図示しないベルトを介してエンジン３１と接続されており、ベアリング５４を介してエンジン３１からの回転駆動力を受けて回転する。
【００２８】
電磁クラッチ５３は、エアコンユニット３４において運転状況に応じて電磁コイル５３ａに電圧が印加されると、プーリ５２ａの回転に伴って回転する駆動クラッチ板が、被動クラッチ板を吸着して連結されることで、被動クラッチ板に対して回転駆動力を伝達する。なお、この被動クラッチ板は、シャフト５０と連結されている。このため、被動クラッチ板が駆動クラッチ板と連結することで、エンジン３１の回転駆動力が電磁クラッチ５３を介してシャフト５０に対して伝達される。
【００２９】
ベアリング５４は、シャフト５０を中心とする円の径方向（以下、単に径方向と示す。）外側に配置されており、プーリ５２ａやロータ５６等の回転の軸受部分として機能する。
ステータ５５は、回転部としてのロータ５６の径方向における内側に配置されており、電磁コイル５３ａが巻き付けられるステータコアの部分と、カバー（カバー部材）５５ａとによって構成されている。なお、このカバー５５ａについては、後段にて詳述する。
【００３０】
ロータ５６は、ステータ５５の径方向における外周側を覆うように配置されており、一体化されたプーリ５２ａの回転に伴ってベアリング５４を介して回転する。
（カバー５５ａの構成）
カバー５５ａは、本体５１とプーリ部５２との間に配置されており、ロータ５６の内周面とステータ５５の外周面との間に形成された後進方向に向かって開口する略円環状の隙間Ｘの開口端側を覆う位置まで延伸している。なお、本実施形態では、隙間Ｘの大きさは、約０．３ｍｍとなっている。
【００３１】
これにより、採掘現場等における作業中において、ブルドーザ１が後進する際等において、後進方向から流れてくる空気に混入した土砂埃等がロータ５６とステータ５５との間の隙間Ｘに侵入するためには、カバー５５ａとロータ５６との間の隙間Ｙを経由して直角に移動する必要が生じる。このため、いわゆるラビリンス効果によって、土砂埃等がロータ５６とステータ５５との間の隙間Ｘに侵入することを効果的に抑制することができる。
【００３２】
この結果、土砂埃等がロータ５６とステータ５５との間の隙間Ｘから侵入して電磁クラッチ５３のクラッチ接合面の摩耗を早めてしまうといった不具合の発生を抑制することができる。
また、カバー５５ａは、略円環状の隙間Ｘに合わせて形成された略円形の板材であって、シャフト５０を中心とする径方向における大きさは、シャフト５０を中心とする円の径方向におけるロータ５６の外周面までの距離と同程度になるように形成されている。
【００３３】
これにより、カバー５５ａを設けた場合でも、コンプレッサ３５の外郭に土砂埃が溜まり易くなる凹凸が形成されることを回避することができる。
さらに、カバー５５ａは、図４に示すように、エンジン３１からの回転駆動力を受けて回転するロータ５６との間に、水平方向において約０．３ｍｍ程度の隙間Ｙを開けて取り付けられている。
【００３４】
これにより、エンジン３１からの回転駆動力が伝達されてロータ５６が回転する際に、ロータ５６とカバー５５ａとが接触したりすることを防止することができる。
［実施例１］
ここで、上記実施形態１で説明したカバー５５ａ付きのコンプレッサ３５と、従来のコンプレッサとで、クラッチ内部への土砂埃等のダストの侵入量を比較した実験結果より推定される稼働時間とクラッチの磨耗量との関係を、図６および図７を用いて説明する。
【００３５】
実験条件としては、雰囲気温度を室温（ただし、運転中の自然上昇あり）とし、所定のラジアル荷重、試験時間１００ｈ、使用したダストＪＩＳ７種、ダスト濃度１７．０ｇ／ｍ３として実験を行った。
その実験結果としては、図６に示すように、従来のコンプレッサにおいてクラッチ内部に侵入したダスト（土砂埃）量が、０．３０５ｇ、０．０９７ｇ、０．１２５ｇであったのに対して、本発明を適用したコンプレッサにおいてクラッチ内部に侵入したダスト量は、０．０５７ｇ、０．０２２ｇ、０．０２３ｇと、約２０％前後（１８．７％、２２．７％、１８．４％）にまで軽減できることが分かった。
【００３６】
この結果から推定される稼働時間に対するクラッチ摩耗量が、図７に示されている。図７によれば、本発明品は従来品と比較して摩耗量が軽減できることが分かる。
以上の実験結果から、本発明のように、ロータ５６とステータ５５との間に形成される隙間Ｘの開口部分を覆うようにカバー５５ａを設けて、クラッチ内部への土砂埃等のダストの侵入を効果的に抑制することで、クラッチの摩耗量を低減して、コンプレッサ３５の寿命を延ばすことができる。
【００３７】
［本ブルドーザ１のコンプレッサ３５の特徴］
（１）
本実施形態のブルドーザ１のコンプレッサ３５は、図２に示すエンジン３１から回転駆動力が伝達されたプーリ５２ａとシャフト５０とを電磁クラッチ５３を介して接続して、エアコンユニット３４に流れる冷媒の圧力を変化させる圧縮機であって、図４に示すように、プーリ５２ａの回転に伴って回転するロータ５６と、この内周側に対向配置されたステータ５５との間であって、本体５１とプーリ５２ａとの間に形成される隙間Ｘの開口端側を覆うように、カバー５５ａを配置している。
【００３８】
これにより、土砂埃等のダストが大量に発生する採掘現場等で作業を行うブルドーザ１のような建設機械に搭載された場合でも、上記隙間Ｘへのダストの侵入によって電磁クラッチ５３のクラッチ接合面における摩耗が進行してしまうことを抑制することができる。この結果、クラッチ接合面の摩耗の進行によるクラッチ接合不良等の不具合の発生を抑制して、コンプレッサ３５の寿命を延長することができる。
【００３９】
（２）
本実施形態のブルドーザ１のコンプレッサ３５は、図４に示すロータ５６とステータ５５との間に形成される隙間Ｘの開口端が、図３に示すように、ブルドーザ１の前進方向とは反対向き、つまり後進方向に向かって開口するように配置されている。
通常、自動車等に搭載されたコンプレッサでは、本実施形態のコンプレッサ３５と同様に、車体の前進方向とは反対向きに隙間の開口端が向くように配置することで、隙間への空気の直接的な流入を防止して隙間へのダストの侵入を抑制している。しかし、ブルドーザ等の建設機械の場合には、採掘現場等の土砂埃が非常に多い環境下での作業になることや、自動車程の前進速度が速くなく、むしろ作業時には前進よりも後進の方が速度が大きい場合が多いことから、自動車と同じ向きになるようにコンプレッサを配置しただけでは、上記隙間へのダストの侵入を十分に抑制することは困難である。
【００４０】
本実施形態のブルドーザ１のコンプレッサ３５では、コンプレッサ３５の向きを上記隙間Ｘが前進方向とは反対向きに開口するように配置するだけではなく、上記隙間Ｘの開口端にカバー５５ａを設けている。
これにより、上記隙間Ｘへの土砂埃等の侵入を効果的に抑制して、クラッチ部分における摩耗の進行が早まることを防止することができる。この結果、隙間Ｘへの土砂埃の侵入によるクラッチ部分における接続不良等の不具合の発生を効果的に防止することができる。
【００４１】
（３）
本実施形態のブルドーザ１のコンプレッサ３５では、ロータ５６とステータ５５との間に形成される隙間Ｘの開口端側を覆うように配置されたカバー５５ａを、略円形の板材によって形成するとともに、図４に示すように、ロータ５６の外径とほぼ同じ大きさの外径を有している。
【００４２】
これにより、上記隙間Ｘの開口端側を覆うカバー５５ａを設けた場合でも、コンプレッサ３５の外郭部分に凹凸が形成されることを回避することができる。この結果、カバー５５ａの取付けによって土砂埃等のダストがコンプレッサ３５上に溜まり易くなることなく、効果的に隙間Ｘへのダストの侵入を抑制することができる。
（４）
本実施形態のブルドーザ１のコンプレッサ３５では、ロータ５６とステータ５５との間に形成される隙間Ｘの開口端側を覆うように配置されたカバー５５ａが、図４に示すように、ロータ５６の端部との間に隙間Ｙが形成されるように取り付けられている。
【００４３】
これにより、ロータ５６が回転する際に、カバー５５ａがロータ５６に接触して回転を妨げたり、騒音を発生させたりすることを防止しつつ、ロータ５６とステータ５５との間に形成される隙間Ｘへの土砂埃等のダストの侵入を効果的に抑制することができる。
（５）
本実施形態のブルドーザ１のコンプレッサ３５では、図２に示すように、車体フレーム３内において隣接配置されたエンジン３１から回転駆動力がプーリ５２ａに対して伝達される。
【００４４】
これにより、エンジン３１を動力源としてプーリ５２ａやロータ５６等を回転させることができるため、車体フレーム３内の構成を簡略化して、コンプレッサ３５を駆動することが可能になる。
［他の実施形態］
以上、本発明の一実施形態について説明したが、本発明は上記実施形態に限定されるものではなく、発明の要旨を逸脱しない範囲で種々の変更が可能である。
【００４５】
（Ａ）
上記実施形態では、ブルドーザ１の後進方向に向かって、ロータ５６とステータ５５との間であって、プーリ部５２を本体５１との間に形成される略円環状の隙間Ｘが開口するようにコンプレッサ３５を配置した例を挙げて説明した。しかし、本発明はこれに限定されるものではない。
【００４６】
例えば、ブルドーザの進行方向に向かって上記隙間が開口するように、コンプレッサを配置してもよい。この場合でも、上述したカバーによって空気の流れの乗った土砂埃等が上記隙間内へ入り込むことを抑制することができるという、上記と同様の効果を得ることができる。
（Ｂ）
上記実施形態では、ロータ５６とステータ５５との間に形成される隙間Ｘへの土砂埃等の侵入を抑制するカバー５５ａとして、略円形の板材を用いた例を挙げて説明した。しかし、本発明はこれに限定されるものではない。
【００４７】
上記カバーとして用いられる部材としては、略円形のものに限らず、例えば、略円筒形の隙間に沿って形成された円環状の部材であってもよい。あるいは、円形ではなく、多角形の部材であってもよい。
ただし、コンプレッサに対してカバーを取り付けた際に、コンプレッサに形成された凹凸部分に土砂埃等が溜まり易くなることを防止できるという点では、上記実施形態のように、ロータ略円形の部材をカバーとして用いることがより好ましい。
【００４８】
（Ｃ）
上記実施形態では、ステータ５５の一部であるカバー５５ａの端部を延伸させて、ロータ５６とステータ５５との間に形成される略円環状の隙間Ｘの開口端を覆うように配置した例を挙げて説明した。しかし、本発明はこれに限定されるものではない。
例えば、ステータの一部をカバーとして用いるのではなく、新たに別部材を設けて上記隙間Ｘの開口端を覆うように配置してもよい。
【００４９】
ただし、従来からあるステータの一部を延伸させるだけで済むために部品点数を増加させないという面では、上記実施形態のように、ステータ等の従来から備えられている部材の一部を用いてカバーを形成することがより好ましい。
（Ｄ）
上記実施形態では、ロータ５６とステータ５５との間に形成される略水平方向の隙間Ｘ、略鉛直方向の隙間Ｙを、それぞれ０．３ｍｍの大きさに設定した例を挙げて説明した。しかし、本発明はこれに限定されるものではない。
【００５０】
各隙間の大きさとしては、ロータとステータとが接触しない範囲で、できる限り小さくすることが望ましいが、例えば、０．３ｍｍ未満であってもよく、０．３ｍｍに限定されるものではない。
（Ｅ）
上記実施形態では、固定部としてのステータ５５の外周側に、回転部としてのロータ５６が位置する例を挙げて説明した。しかし、本発明はこれに限定されるものではない。
【００５１】
例えば、ステータ（固定部）の内周側にロータ（回転部）が配置されるような構成のコンプレッサであってもよい。
（Ｆ）
上記実施形態では、ブルドーザ１に搭載されたコンプレッサ３５を例として挙げて説明した。しかし、本発明はこれに限定されるものではない。
【００５２】
例えば、ホイルローダ等の他の建設機械に搭載されたコンプレッサ（圧縮機）に対しても本発明の適用は当然に可能である。
【産業上の利用可能性】
【００５３】
本発明の建設機械の圧縮機は、ロータとステータとの間の隙間への土砂埃の侵入を抑制して圧縮機の不具合の発生を防止することができるという効果を奏することから、土砂埃が舞うような環境下において作業を行う各種建設機械に搭載される圧縮機に対して広く適用可能である。
【図面の簡単な説明】
【００５４】
【図１】本発明の一実施形態に係る建設機械の圧縮機が搭載されたブルドーザの外観を示す側面図。
【図２】図１のブルドーザの車体フレーム内の構成を示す断面図。
【図３】図２の車体フレーム内に搭載されたコンプレッサを側面から見た部分断面図。
【図４】図３のコンプレッサの部分拡大図。
【図５】図３のコンプレッサの側面図。
【図６】本発明に係るコンプレッサと従来のコンプレッサとで発生したダスト量の比較結果を示す説明図。
【図７】クラッチ摩耗量と稼働時間との関係を調査した実験結果を示すグラフ。
【符号の説明】
【００５５】
１      ブルドーザ（建設機械）
２      キャブ
３      車体フレーム（エンジンルーム）
６      作業機構
７      走行装置
３１      エンジン
３２      トルクコンバータ
３３      トランスミッション
３４      エアコンユニット
３４ａ    冷媒配管
３５      コンプレッサ（建設機械の圧縮機）
３６      コンデンサ
５０      シャフト
５１      本体（本体部）
５２      プーリ部
５２ａ    プーリ
５３      電磁クラッチ
５３ａ    電磁コイル
５４      ベアリング
５５      ステータ（固定部）
５５ａ    カバー（カバー部材）
５６      ロータ（回転部）
６０      ブレード
６１      支持フレーム
６２      油圧ブレードチルトシリンダ
６３      油圧ブレードリフトシリンダ
７０      履体
７１      トラックフレーム
７２      アイドラ
７３      スプロケット
Ｘ      隙間
Ｙ      隙間
【図１】
2008014282.tif 000003
【図２】
2008014282.tif 000004
【図３】
2008014282.tif 000005
【図４】
2008014282.tif 000006
【図５】
2008014282.tif 000007
【図６】
2008014282.tif 000008
【図７】
2008014282.tif 000009